(57)【特許請求の範囲】
【請求項１】
靴の靴紐を固定締め付けするためのクロージャーであって、靴紐の端部を受容するためのチャンバーを形成しているケース（３１２）を備え、靴紐が少なくとも１つの開口部（３２０，３２２）を通じて前記チャンバー内に挿入可能であり、前記チャンバーを閉鎖させるカバー（３１６）が設けられ、該カバー（３１６）が、靴紐を操作可能な開口位置と、前記チャンバーがその中にある靴紐端部によって閉鎖される閉鎖位置との間で移動可能である前記クロージャーにおいて、
引き締めた靴紐を保持する、靴紐のためのクランプ機構が設けられ、クランプ機構が前記チャンバー内にそれぞれ１つの隙間（３２６，３２８）によって形成され、該隙間は一端のほうへ先細りになっており、その結果靴紐を先細り領域で締め付け可能であり、隙間（３２６，３２８）がその先細り領域によって互いに対向しあい、且つ隙間（３２６，３２８）が、それぞれ、ケース（３１２）から内側へ突出している細条部（３３０，３３２）とケース底部とによって形成されていることを特徴とするクロージャー。
【請求項２】
カバー（３１６）がケース（３１２）に回動可能に固定されていることを特徴とする、請求項１に記載のクロージャー。
【請求項３】
ケース（３１２）が、その下面を凹状に成形され、取り付け位置の形状に適合可能であるように曲げ弾性があることを特徴とする、請求項１または２に記載のクロージャー。
【請求項４】
それぞれ１つの靴紐端部のための２つの開口部（３２０，３２２）がケース（３１２）の下面に配置されていることを特徴とする、請求項１から３までのいずれか一つに記載のクロージャー。
【請求項５】
前記開口部（３２０，３２２）が隙間（３２６，３２８）の間にあることを特徴とする、請求項４に記載のクロージャー。
【請求項６】
靴紐の緩んでいる端部を細条部（３３０，３３２）のまわりに巻付け可能であることを特徴とする、請求項１から５までのいずれか一つに記載のクロージャー。
【請求項７】
ケース（３１２）に突起（３３４）が形成され、該突起の後方に靴紐端部を固定可能であることを特徴とする、請求項１から６までのいずれか一つに記載のクロージャー。
【請求項８】
カバー（３１６）には、カバー（３１６）をケース（３１２）に対して開閉可能とするケースクロージャー（３１８）が設けられていることを特徴とする、請求項１から７までのいずれか一つに記載のクロージャー。
【発明の詳細な説明】
【技術分野】
【０００１】
本発明は、靴の靴紐を固定締め付けするためのクロージャーであって、靴紐の端部を受容するためのチャンバーを形成しているケースを備え、靴紐が少なくとも１つの開口部を通じて前記チャンバー内に挿入可能であり、前記チャンバーを閉鎖させるカバーが設けられ、該カバーが、靴紐を操作可能な開口位置と、前記チャンバーがその中にある靴紐端部によって閉鎖される閉鎖位置との間で移動可能である前記クロージャーに関するものである。
【背景技術】
【０００２】
靴紐クロージャーは、紐結び型の靴において、靴紐を引き締めてその位置を固定するために使用される。靴紐クロージャーにより、靴紐を固定するために結び目とループを作る必要がなくなる。靴紐クロージャーは、たとえば日常的に履かれるスポーツシューズの場合に好ましく、人気が高まっている。靴紐の両端部を締め付けるクロージャーは知られている。たとえば特許文献１は、靴紐をクランプ機構で保持するようにした靴紐クロージャーを記載している。この場合、靴紐端部は通常はクランプ機構から突出しているが、たとえば突出している靴紐端部につまずいて転ぶことがあるので、安全上のリスクがある。靴紐は、その両端部を互いに結び合わせることができるように採寸されているので、端部を締め付け固定すると、端部が非常に長く垂れ下がることになる。このため、前記特許文献１では、靴紐端部を所望の寸法に切断することを提案している。しかしながら、これによって、靴紐を使用可能な靴の最大幅が固定されてしまう。さらに、切断された靴紐は、その長さがループを伴う通常の結び目にとっては十分でないので、適当な靴紐クロージャーとともに使用することができなくなる。
【０００３】
さらに、特許文献２には、楔状のインサートが靴紐を止め面に対し押圧させて、引き出しを阻止するようにしたクロージャーが記載されている。また、特許文献３には、靴紐がクロージャーの溝のなかに挿入され、この溝のなかでカバーにより押圧されることで保持されるようにしたクロージャーが示されている。特許文献４からは、結んだ靴紐を引き締めてクランプにより固定するようにしたクロージャークランプが知られている。特許文献５では、靴紐は回動可能なクランプ面によって保持部で保持される。特許文献６では、靴紐の固定は、変位可能に保持される締め付けくさびによって行なわれる。特許文献７は、通常のループを固定するためのクロージャーを記載している。特許文献８によれば、紐とループの閉鎖可能なカバーが設けられ、特許文献９では、通常のループを受容するための閉鎖可能なケースが記載されている。最後に、特許文献１０には、挿通される靴紐領域に固定されるクロージャーであって、靴紐端部をフック状に挿入するようにした前記クロージャーが記載されている。フックは、締付けと詰め込みのために、回転可能なケース部材とともに可動であり、この場合靴紐端部はクロージャー内部のロープドラムに巻きつけられる。このクロージャーは靴から取り外すのが容易でなく、最初に靴に取り付けて設定するには、ある程度の時間と労力が必要である。
【先行技術文献】
【特許文献】
【０００４】
【特許文献１】米国特許第６０２６５４８号明細書
【特許文献２】米国特許第２２００８９５号明細書
【特許文献３】独国実用新案登録第２９７１０９３２Ｕ１号
【特許文献４】スイス特許第２７１３６４号明細書
【特許文献５】欧州特許出願公開第０３３７０４４Ａ１号明細書
【特許文献６】英国特許出願公開第２４０４８３９Ａ号明細書
【特許文献７】フランス特許第２７９８２６４号明細書
【特許文献８】独国実用新案登録第２０１１０３８１Ｕ１号
【特許文献９】米国特許第３４７３１９８号明細書
【特許文献１０】欧州特許出願公開第０５４０２５１Ａ１号明細書
【発明の概要】
【発明が解決しようとする課題】
【０００５】
本発明の課題は、靴紐端部がたるんで垂れ下がるのを回避し、きわめて簡単に取り付けることのできる靴紐クロージャーを提供することである。
【課題を解決するための手段】
【０００６】
この課題は、本発明によれば、冒頭で述べた種類の靴紐クロージャーにおいて、引き締めた靴紐を保持する、靴紐のためのクランプ機構が設けられ、クランプ機構が前記チャンバー内にそれぞれ１つの隙間によって形成され、該隙間は一端のほうへ先細りになっており、その結果靴紐を先細り領域で締め付け可能であり、隙間がその先細り領域によって互いに対向しあい、且つ隙間が、それぞれ、ケースから内側へ突出している細条部とケース底部とによって形成されていることによって解決される。
【０００７】
本発明による靴紐クロージャーの利点は、両靴紐端部をケース内に迅速且つ確実に詰め込むことができる点にある。その際、突出している長さ部分全体、すなわち通常はループを伴っている結び目のために必要な部分全体を詰め込むことができる。靴紐端部は靴からたるんだ状態で垂れ下がらないので、たるんでいる靴紐の一端に他方の靴がぶつかって躓くことがない。さらに、靴紐端部が不慮にほどけるのが阻止される。ケースとカバーとによって、靴紐クロージャーをコンパクトな部材として構成できる。したがって、本発明による靴紐クロージャーは、デザインに高価値がおかれ、モダンで斬新な造形でもって使用材料に対応させるのを目的としたモダンなスポーズシューズに特に適している。クランプ機構がケース内に配置されているので、靴紐端部を引き締めることができるようにクランプ機構を靴に固定させる必要はない。むしろ靴紐端部は、靴に固定されるのではなく、ループの場合と同様にケースを用いて互いに固定される。他方、利用者が保持して操作できるようにしなければならない、たるんだ状態のクランプ機構とは異なり、本発明によるクランプ機構は、簡単に操作できるように、靴に当接しているケースによって保持されている。本発明による靴紐クロージャーは、靴に特殊な処置または機構を必要としないので、たとえば種々の靴で使用できるようにするための、或いは、他の靴に迅速に交換できるようにするための、靴の追装備にも好適である。靴紐を固定するための特別な作業、特に靴の中に挿通される靴紐部分を貫通させる作業は必要ない。さらに、カバーは靴紐端部を擦り切れから保護する。また、クランプ機構もその可動部分によって汚染または損傷から保護される。
【０００８】
本発明によれば、靴紐のためのクランプ機構がそれぞれ１つの隙間によって形成され、該隙間は一端のほうへ先細りになっており、その結果靴紐を先細り領域で締め付け可能である。両隙間は種々の態様でケース内部に形成されていてよく、ケースをプラスチック部材から製造する場合も、きわめて簡単に構造変更することができる。靴紐は、まず開口部を通じてチャンバー内へ挿入され、そこで靴紐は開口したカバーを通じて好適に操作可能である。この場合靴紐は容易に緊張させることができ、緊張状態でそれぞれに付設の隙間に挿入されて締め付けられる。
【０００９】
本発明によれば、隙間はその先細り領域によって互いに対向しあっている。その結果、クランプ力をケースによって好適に吸収することができ、回転方向に力が発生することがない。
【００１０】
さらに、本発明によれば、隙間は、それぞれ、ケースから内側へ突出している細条部とケース底部とによって形成されている。この場合、両細条部はフック状の形状を有し、細条部の下方ではケース底部は開口していても閉鎖されていてもよい。ケース底部が開口している場合には、靴紐を、１つの開口部の鋭いエッジと細条部の鋭いエッジとの間で好適に締め付け固定することができる。前記エッジは、それぞれ、一方では大きな締付け力が発生するように構成され、他方では、あまり鋭くしすぎて靴紐が損傷しないように構成されている。
【００１１】
本発明の合目的な構成では、カバーがケースに回動可能に固定されており、その結果、クランプ機構を操作したときに、利用者はカバーを別個に保持する必要がない。
さらに、足の甲領域で靴の湾曲した上面に好適に取り付けることができるように、ケースがその下面を凹状に成形されている実施形態が有利である。この場合、ケースは、取り付け個所の形状に適合可能であるように曲げ弾性があるのが好ましい。これにより、クロージャーが足を点状に押すのが避けられるので、さらに快適な履き心地が得られる。
【００１２】
好ましくは、それぞれ１つの靴紐端部のための２つの開口部がケースの下面に配置されているのがよい。この場合、省スペースの実施態様が得られる。ケースの下面に開口部が形成されているため、両靴紐端部がそれぞれ鳩目から突出しているような個所においてクロージャーが靴に設置されるので、靴紐端部は鳩目以降は完全に覆われた状態で靴紐クロージャーの中で延在する。
【００１３】
特に合目的なのは、靴紐端部をチャンバー内へ挿入させるための前記開口部が隙間の間にあるような実施態様である。このような実施態様では、靴紐はたとえば互いに引き離すだけで好適に引き締めることができ、滑りぬけないよう固定することができる。
【００１４】
できるだけ利用者にやさしいように靴紐を詰め込むことができるように、すなわち迅速且つ簡単に靴紐を詰め込むことができるようにするため、靴紐の緩んでいる端部を細条部のまわりに巻付け可能である。このため、隙間は、その拡張領域において、本来の締め付け固定のために必要なよりもいくぶん長く且つ大きく形成されている。
【００１５】
他の有利な実施形態では、ケースに突起が形成され、該突起の後方に靴紐端部を固定可能である。これにより靴紐端部がカバーの閉鎖を阻害することがない。
有利な実施形態では、カバーには、カバーをケースに対して開閉可能とするケースクロージャーが設けられている。
【００１６】
カバーをケースに対して開閉可能とするクロージャーにより、ケースを搬送中に確実に閉鎖させることができる。クロージャーは、たとえば通常のロック機構を有し、或いは、マジッククテープ（商品名）、ジッパー、マグネチックロック、スナップボタンファスナーを有している。
【図面の簡単な説明】
【００１７】
【図１】靴紐クロージャーの実施形態を上から見た等尺図である。
【図２】図１の靴紐クロージャーのケース底部を示す図である。
【図３】図１の靴紐クロージャーを斜め下から見た等尺図である。
【図４】図１ないし図３のクロージャーの側面図である。
【図５】図４のクロージャーの開口状態の側面図である。
【図６】図１のクロージャーの開口状態の正面図である。
【図７】図６のクロージャーを閉鎖状態で示した図である。
【図８】クロージャーを閉鎖状態で示した平面図である。
【図９】図７および図８のクロージャーの背面図である。
【図１０】クロージャーを開口状態で示した平面図である。
【図１１】図１ないし図１０のクロージャーの縦断面図である。
【図１２】図１１の縦断面展開図である。
【図１３】図１２の展開図の等尺図である。
【図１４】１４ａないし１４ｈは、図１ないし図１３のクロージャーを使用する場合の個々のステップの順序を説明する図である。
【発明を実施するための形態】
【００１８】
図１ないし図１４には、他の実施形態として、靴の靴紐を締め付け固定するためのクロージャー３１０が図示されている。
クロージャー３１０は、靴紐の端部を収容するためのケース３１２を有している。ケース３１２は、靴の甲領域に取り付けるために、その下面が凹状に成形されており、取り付け部位の形状に適合可能なような曲げ弾性がある。
【００１９】
縦長のケース３１２は底板３１４を有し、底板３１４で、チャンバーを閉鎖させるカバー３１６が回動可能に保持されている。閉鎖状態でカバー３１６を一時的に固定するため、カバー３１６とケース３１２との間には、カバー３１６をケース３１２に対して開閉可能とするケースクロージャー３１８が設けられ、該ケースクロージャー３１８に対し回動可能にカバー３１６が底板３１４で保持されている（図５および図６をも参照）。ケースクロージャー３１８は、ボタン３１９を押すことで解除されるロック機構を備えている。
【００２０】
ケース３１２は下面に２つの開口部３２０，３２２を有し、該開口部を通じて靴紐をチャンバー内へ挿入する。チャンバーの内部には、底板３１４にクランプ装置３２４が設けられ、該クランプ装置３２４を用いて靴紐が固定される。この場合、クランプ装置３２４はケース３１２に対し不動に保持されている。クランプ装置３２４は、それぞれの靴紐のために、片側が開口した隙間３２６，３２８を有し、隙間３２６，３２８は、靴紐を締め付け固定するため、前記挿入用開口部から前記隙間のほうへ先細りになっている。隙間３２６，３２８は、それぞれ、ケース３１２からチャンバー内部のなかへ突出している細条部３３０，３３２と、ケース底部に設けた繰り抜き部の縁との間に形成されている。この場合、両開口部３２０，３２２は互いに整列している（互いに離間しあうように図示した）隙間の間に配置されている。細条部３３０，３３２は横断面にてたとえばＴ字状であり、先細りになっている隙間３２６，３２８は、ケース底部から外側へ離間している異形側面によって生じたものである。
【００２１】
細条部３３０，３３２は、その長さに関し、靴紐の緩んでいる領域を、隙間３２６，３２８の外側領域において細条部３３０，３３２のまわりに巻きつけることができるように選定されている。靴紐端部をより好適に詰め込むことができるように、ケースクロージャー３１８は突起３３４を有し、該突起３３４の後方へ靴紐端部を移動させることができ、その結果靴紐端部は、カバー３１６を閉じたときに側方へ突出しない。
【００２２】
カバー３１６の上面には装飾クリップ３３６のみが設けられ、装飾クリップ３３６上には、装飾要素以外に企業ロゴ、広告等を取り付けることができる。装飾クリップ３３６はカバー３１６上に嵌着され、小さなロック突起によってカバー３１６で保持される（図１１ないし図１３をも参照）。
【００２３】
図１４ａないし図１４ｈには、図１ないし図１３に記載の靴紐クロージャー３１０の使用態様が、スポーズシューズとの関連で図示されている。なお、靴紐クロージャー３１０はもちろん他の種類の靴にも使用できる。まず、靴紐クロージャー３１０を、押しボタン３１９を押すことで開く。次に、靴紐を、ケース３１２の下面に設けた穴３２０，３２２を通じて下側から挿入する。なお穴３２０，３２２は、図示した実施形態の場合、細条部３３０，３３２の間に配置されているのではなく、隙間の挿入用開口部の側方にして細条部３３０，３３２の後方に配置されている。次に、靴紐クロージャー３１０を靴上の中央部に位置決めし、その結果穴３２０，３２２は、靴の、靴紐が靴の鳩目から出ている箇所の、上方に位置することになる。次に、靴紐を必要に応じて引き締める。このため、まず靴紐を靴に対しわずかな間隔で且つわずかな角度で十字に交差させて外側上方へ引張る。このとき靴紐は細条部３３０，３３２の後方において隙間３２６，３２８内で締め付けられる（図１４ｃのステップａを参照）。この場合、締め付け作用は、第１に、先細りになっている隙間３２６または３２８によって行なわれるが、補助的に、十字に交差している靴紐によっても達成される。
【００２４】
先細りになっている隙間３２６，３２８とは択一的に、均一な幅で開口している隙間でもよい。この場合の締め付け作用は、多重に十字交差している靴紐だけで達成される。しかしこの場合、細条部に巻きつける際に靴紐の緊張度をより長く維持せねばならない。
【００２５】
所望の強度を得るため、すなわち靴を足で所望の保持力で保持する場合、図１４ｃによれば、靴紐をそれぞれ小さな円運動で下から上へ向けて、突出している細条部３３０，３３２のまわりに巻きつける。このため、次に靴紐を上方へ引張ることによって靴紐を堅く締め付ける（図１４ｄのステップｂを参照）。
【００２６】
その後、図１４ｅに示したように、両靴紐の、残っている自由な領域、すなわち緩んでいる領域を、細条部３３０，３３２の自由端のまわりに交互に巻きつける。カバー３１６を閉じたときに靴紐端部が底板３１４とカバー３１６との間で固着されないようにするため、靴紐端部を軽く押して、突起として形成されているケースクロージャー３１８の下へ滑り込ませる。このためには、靴紐端部がプラスチックスリーブまたは金属スリーブを備えている（図１４ｆ）ような靴紐端部が特に適している。最後にカバーを閉じる。この場合、カバー３１６はクロージャー機構をロックすることによって確実に保持される。開くにはクロージャーボタン３１９を押してカバー３１６を開く。この場合、回動可能な結合には閉じた状態でプレストレスがかけられていることにより、簡単に開くことができる。カバーが閉じている場合、靴紐クロージャー３１０の上面に装飾クリップを良好に視認でき、たとえば企業ロゴ或いは他の広告要素の取り付けに利用することができる（図１４ｈを参照）。
【図１】
0005017367.tif 000002
【図２】
0005017367.tif 000003
【図３】
0005017367.tif 000004
【図４】
0005017367.tif 000005
【図５】
0005017367.tif 000006
【図６】
0005017367.tif 000007
【図７】
0005017367.tif 000008
【図８】
0005017367.tif 000009
【図９】
0005017367.tif 000010
【図１０】
0005017367.tif 000011
【図１１】
0005017367.tif 000012
【図１２】
0005017367.tif 000013
【図１３】
0005017367.tif 000014
【図１４】
0005017367.tif 000015